(57)【要約】  パッケージ基板２上には半導体部品６をフェイスアップ実装する。半導体部品６の表面６Ａには、アンテナ基板１５をフリップ実装する。このとき、半導体部品６の表面６Ａには素子側高周波信号端子１２を設けると共に、アンテナ基板１５の裏面１５Ｂにはアンテナ側高周波信号端子１７を設け、素子側高周波信号端子１２およびアンテナ側高周波信号端子１７はバンプ２０を用いて電気的に接続する。これにより、高周波信号ＲＦt，ＲＦr用のアンテナ基板１５とベースバンド信号ＴＳ，ＲＳ用のパッケージ基板２とを分離することができる。
2012014527.tif 000002
【特許請求の範囲】
【請求項１】
直流電圧を出力する基板側直流電圧端子と、ベースバンド信号を入力または出力する基板側ベースバンド信号端子と、外部の回路に接続するための外部接続端子とを有し、誘電体材料を用いて形成されたパッケージ基板と、
ベースバンド信号を変調して高周波信号に変換する機能と高周波信号を復調してベースバンド信号に変換する機能とのうち少なくともいずれか一方の機能をもった機能回路部を有し、駆動用の直流電圧が入力される素子側直流電圧端子と、ベースバンド信号を入力または出力する素子側ベースバンド信号端子と、前記機能回路部と同じ表面側に位置して高周波信号を入力または出力する素子側高周波信号端子とを有する半導体部品と、
表面側にアンテナ素子が設けられ、裏面側に高周波信号を入力または出力するアンテナ側高周波信号端子を有し、誘電体材料を用いて形成されたアンテナ基板とを備え、
前記半導体部品は、前記パッケージ基板に裏面側が対向した状態で前記パッケージ基板にフェースアップ実装されると共に、素子側直流電圧端子および素子側ベースバンド信号端子が基板側直流電圧端子および基板側ベースバンド信号端子にそれぞれ電気的に接続され、
前記アンテナ基板は、前記半導体部品の表面側にフリップチップ実装されると共に、アンテナ側高周波信号端子が前記半導体部品の表面側に設けられた素子側高周波信号端子に電気的に接続される構成としてなる高周波モジュール。
【請求項２】
前記半導体部品の素子側直流電圧端子および素子側ベースバンド信号端子と、前記パッケージ基板の基板側直流電圧端子および基板側ベースバンド信号端子とは、ワイヤボンディングを用いて電気的に接続する構成としてなる請求項１に記載の高周波モジュール。
【請求項３】
前記半導体部品には、前記機能回路部が設けられた表面側から裏面側に向けて延びるビアを設け、
前記半導体部品の素子側直流電圧端子および素子側ベースバンド信号端子は、前記半導体部品の裏面側に位置して、該ビアを通じて前記機能回路部に電気的に接続され、
前記半導体部品の素子側直流電圧端子および素子側ベースバンド信号端子と、前記パッケージ基板の基板側直流電圧端子および基板側ベースバンド信号端子とは、バンプを用いて電気的に接続する構成としてなる請求項１に記載の高周波モジュール。
【請求項４】
前記アンテナ基板には、前記アンテナ素子とアンテナ側高周波信号端子との間に電気的に接続され高周波信号を処理する受動回路部を設ける構成としてなる請求項１ないし３のいずれかに記載の高周波モジュール。
【請求項５】
前記アンテナ素子は、マイクロ波帯またはミリ波帯の高周波信号を送信または受信する構成としてなる請求項１ないし３のいずれかに記載の高周波モジュール。
【請求項６】
前記パッケージ基板の表面側は、前記半導体部品を覆った状態で樹脂材料を用いて封止する構成としてなる請求項１ないし３のいずれかに記載の高周波モジュール。
【請求項７】
前記請求項１ないし３のいずれかに記載の高周波モジュールを用いた通信装置。
【発明の詳細な説明】
【技術分野】
【０００１】
本発明は、アンテナを用いて高周波信号の送信または受信を行う高周波モジュールおよび該高周波モジュールを用いた通信装置に関する。
【背景技術】
【０００２】
一般に、高周波モジュールとして、多層基板からなる回路基板に通信用の半導体チップを搭載するためのチップ搭載部を形成すると共に、外部接続端子を設けたものが知られている（例えば、特許文献１参照）。そして、特許文献１には、回路基板の内層側に高周波信号をフィルタ処理するフィルタ回路層を設けると共に、回路基板の表面側に高周波信号の送信または受信を行うアンテナを設ける構成が開示されている。
【先行技術文献】
【特許文献】
【０００３】
【特許文献１】特開２００２−１００６９８号公報
【発明の概要】
【０００４】
ところで、上述した特許文献１に記載の高周波モジュールでは、回路基板にフィルタおよびアンテナを形成するから、例えば誘電率の高いセラミックス材料等のように、高周波特性に優れた材料を用いて回路基板を形成する必要がある。このように高周波特性に優れた材料は、一般的に高価になる傾向がある。これに対し、特許文献１による高周波モジュールでは、例えば半導体部品の駆動用の直流電圧を供給する部位や低周波信号を処理する部分のように、高周波特性に優れた材料が不要な部分も含めて同じ材料を用いて形成する必要があり、高周波モジュール全体が高価になるという問題がある。
【０００５】
本発明は上述した従来技術の問題に鑑みなされたもので、本発明の目的は、高周波信号用の基板と他の信号用の基板とを分離して製造コストを低減することができる高周波モジュールおよび通信装置を提供することにある。
【０００６】
（１）．上述した課題を解決するために、本発明による高周波モジュールは、直流電圧を出力する基板側直流電圧端子と、ベースバンド信号を入力または出力する基板側ベースバンド信号端子と、外部の回路に接続するための外部接続端子とを有し、誘電体材料を用いて形成されたパッケージ基板と、ベースバンド信号を変調して高周波信号に変換する機能と高周波信号を復調してベースバンド信号に変換する機能とのうち少なくともいずれか一方の機能をもった機能回路部を有し、駆動用の直流電圧が入力される素子側直流電圧端子と、ベースバンド信号を入力または出力する素子側ベースバンド信号端子と、前記機能回路部と同じ表面側に位置して高周波信号を入力または出力する素子側高周波信号端子とを有する半導体部品と、表面側にアンテナ素子が設けられ、裏面側に高周波信号を入力または出力するアンテナ側高周波信号端子を有し、誘電体材料を用いて形成されたアンテナ基板とを備え、前記半導体部品は、前記パッケージ基板に裏面側が対向した状態で前記パッケージ基板にフェースアップ実装されると共に、素子側直流電圧端子および素子側ベースバンド信号端子が基板側直流電圧端子および基板側ベースバンド信号端子にそれぞれ電気的に接続され、前記アンテナ基板は、前記半導体部品の表面側にフリップチップ実装されると共に、アンテナ側高周波信号端子が前記半導体部品の表面側に設けられた素子側高周波信号端子に電気的に接続される構成としている。
【０００７】
本発明によれば、基板側直流電圧端子、基板側ベースバンド信号端子、外部接続端子を有するパッケージ基板とは別個に、アンテナ基板を設けたから、高周波信号が伝搬するアンテナ基板だけを高周波特性の優れた材料を用いて形成すればよい。このため、パッケージ基板を安価な樹脂材料等を用いて形成することができ、製造コストを低減することができる。
【０００８】
また、半導体部品はパッケージ基板にフェースアップ実装されると共に、アンテナ基板は半導体部品の表面側にフリップチップ実装したから、アンテナ側高周波信号端子と素子側高周波信号端子との間をバンプを用いて電気的に接続することができる。このため、例えば半導体部品とアンテナ基板との間をワイヤボンディングを用いて電気的に接続した場合に比べて、接続部分の線路長を短縮することができるから、半導体部品とアンテナ基板との間で高周波信号の伝送線路の長さ寸法をできるだけ短くすることができ、高周波信号の伝送損失や外部ノイズの混入を抑制することができる。
【０００９】
（２）．本発明では、前記半導体部品の素子側直流電圧端子および素子側ベースバンド信号端子と、前記パッケージ基板の基板側直流電圧端子および基板側ベースバンド信号端子とは、ワイヤボンディングを用いて電気的に接続する構成としている。
【００１０】
本発明によれば、半導体部品の素子側直流電圧端子および素子側ベースバンド信号端子と、パッケージ基板の基板側直流電圧端子および基板側ベースバンド信号端子とはワイヤボンディングを用いて電気的に接続した。このため、機能回路部や素子側直流電圧端子および素子側ベースバンド信号端子が半導体部品の表面側に配置されるときでも、これらの素子側直流電圧端子および素子側ベースバンド信号端子をパッケージ基板の基板側直流電圧端子および基板側ベースバンド信号端子に容易に接続することができると共に、各端子の接続状態を容易に目視確認することができる。
【００１１】
（３）．本発明では、前記半導体部品には、前記機能回路部が設けられた表面側から裏面側に向けて延びるビアを設け、前記半導体部品の素子側直流電圧端子および素子側ベースバンド信号端子は、前記半導体部品の裏面側に位置して、該ビアを通じて前記機能回路部に電気的に接続され、前記半導体部品の素子側直流電圧端子および素子側ベースバンド信号端子と、前記パッケージ基板の基板側直流電圧端子および基板側ベースバンド信号端子とは、バンプを用いて電気的に接続する構成としている。
【００１２】
本発明によれば、半導体部品の素子側直流電圧端子および素子側ベースバンド信号端子と、パッケージ基板の基板側直流電圧端子および基板側ベースバンド信号端子とはバンプを用いて電気的に接続した。このため、素子側直流電圧端子および素子側ベースバンド信号端子は、ワイヤボンディングを用いて接続する場合のように、パッケージ基板のうち半導体部品と異なる位置に配置する必要がなく、パッケージ基板のうち半導体部品と対向した位置に配置することができる。この結果、パッケージ基板および高周波モジュール全体を小型化することができる。
【００１３】
（４）．本発明では、前記アンテナ基板には、前記アンテナ素子とアンテナ側高周波信号端子との間に電気的に接続され高周波信号を処理する受動回路部を設ける構成としている。
【００１４】
本発明によれば、アンテナ基板には、アンテナ素子とアンテナ側高周波信号端子との間に電気的に接続され高周波信号を処理する受動回路部を設けたから、例えば受動回路部としてフィルタ等を設けることができ、アンテナ基板の内部で高周波信号の処理を行うことができる。
【００１５】
（５）．本発明では、前記アンテナ素子は、マイクロ波帯またはミリ波帯の高周波信号を送信または受信する構成としている。
【００１６】
本発明によれば、アンテナ素子はマイクロ波帯またはミリ波帯の高周波信号を送信または受信する構成としたから、これらよりも低周波の信号を用いた場合に比べて、広帯域の高周波信号を用いることができ、通信速度を向上することができる。
【００１７】
（６）．本発明では、前記パッケージ基板の表面側は、前記半導体部品を覆った状態で樹脂材料を用いて封止する構成としている。
【００１８】
本発明によれば、パッケージ基板の表面側は半導体部品を覆った状態で樹脂材料を用いて封止する構成とした。このため、パッケージ基板の基板側直流電圧端子および基板側ベースバンド信号端子と、半導体部品の素子側直流電圧端子および素子側ベースバンド信号端子との接続部分を封止することができる。これに加え、半導体部品の表面側では、素子側高周波信号端子とアンテナ側高周波信号端子とが接続されているから、これらの接続部分も一緒に封止することができる。このため、製造工程において、これら複数箇所の接続部分を容易に封止することができる。
【００１９】
（７）．本発明による高周波モジュールを用いて通信装置を構成してもよい。この場合、通信装置全体の製造コストを抑制することができる。
【図面の簡単な説明】
【００２０】
【図１】第１の実施の形態による高周波モジュールを示す斜視図である。
【図２】図１中の高周波モジュールを示す平面図である。
【図３】高周波モジュールを図２中の矢示III−III方向からみた断面図である。
【図４】図１中の高周波モジュールを示すブロック図である。
【図５】第２の実施の形態による高周波モジュールを示す斜視図である。
【図６】図５中の高周波モジュールを示す平面図である。
【図７】高周波モジュールを図６中の矢示VII−VII方向からみた断面図である。
【図８】第３の実施の形態による高周波モジュールを図３と同じ位置からみた断面図である。
【図９】図８中の高周波モジュールを示すブロック図である。
【図１０】第４の実施の形態による高周波モジュールを図３と同じ位置からみた断面図である。
【図１１】変形例による高周波モジュールを図３と同じ位置からみた断面図である。
【図１２】第５の実施の形態による通信装置を示すブロック図である。
【発明を実施するための形態】
【００２１】
以下、本発明の実施の形態による高周波モジュールおよび該高周波モジュールを用いた通信装置を、添付図面を参照して詳細に説明する。
【００２２】
まず、図１ないし図４は本発明の第１の実施の形態を示し、図において、本実施の形態による高周波モジュール１は、後述のパッケージ基板２、半導体部品６、アンテナ１４等を備えている。
【００２３】
パッケージ基板２は、例えば複数の絶縁層を積み重ねた多層基板を用いて形成され、樹脂材料等の誘電体材料を用いて略四角形状に形成されると共に、表面２Ａおよび裏面２Ｂを有している。パッケージ基板２の表面２Ａには、その中央側に位置して半導体部品６を搭載するための実装領域として実装電極２Ｃが設けられ、該実装電極２Ｃの周囲には該実装電極２Ｃを取囲んで複数個の基板側直流電圧端子３および基板側ベースバンド信号端子４が設けられている。この基板側直流電圧端子３は、半導体部品６を駆動するための直流電圧として例えば駆動電圧Ｖcc等を出力する。一方、基板側ベースバンド信号端子４は、低周波信号からなるベースバンド信号ＴＳ，ＲＳを入力または出力する。
【００２４】
なお、ベースバンド信号ＴＳ，ＲＳは、後述の高周波信号ＲＦt，ＲＦrよりも低周波な信号であればよく、例えば一次変調されたＩＦ信号（中間周波信号）でもよい。
【００２５】
また、パッケージ基板２には、裏面２Ｂ側に位置して複数個の外部接続端子５が設けられている。これらの外部接続端子５は、パッケージ基板２の内部に設けられた配線パターン２Ｄやビア２Ｅを通じて、実装電極２Ｃ、基板側直流電圧端子３および基板側ベースバンド信号端子４に対してそれぞれ電気的に接続されている。このとき、配線パターン２Ｄは、例えば絶縁層間に配置された電極パターンによって形成され、ビア２Ｅは、厚さ方向に延びる小径孔内に導電性金属膜等を設けることによって形成されている。そして、外部接続端子５は、パッケージ基板２内の回路や半導体部品６に対して外部の回路を電気的に接続するものである。
【００２６】
半導体部品６は、例えば絶縁性の樹脂材料等からなる本体部７に各種の機能処理を行う機能回路部８が取り付けられると共に、例えば略四角形状に形成され、表面６Ａおよび裏面６Ｂを有している。この半導体部品６の機能回路部８は、例えばシリコン等の半導体材料を用いて形成されたＩＣチップ等によって構成され、本体部７の表面６Ａ側に配置されている。そして、半導体部品６は、その裏面６Ｂ側がパッケージ基板２の実装電極２Ｃに接合され、機能回路部８がパッケージ基板２と反対側に配置された状態でパッケージ基板２の表面２Ａ側にフェースアップ実装されている。
【００２７】
また、機能回路部８には、ベースバンド信号ＴＳを変調して高周波信号ＲＦtに変換する変調回路８Ａが形成されると共に、高周波信号ＲＦrを復調してベースバンド信号ＲＳに変換する復調回路８Ｂが形成されている。また、機能回路部８には、後述するアンテナ１４に対して、変調回路８Ａと復調回路８Ｂとのうちいずれか一方を選択的に接続する送受切換スイッチ８Ｃが形成されている。この送受切換スイッチ８Ｃは、高周波モジュール１の送信状態および受信状態を選択的に切り換える。
【００２８】
さらに、本体部７の表面６Ａ側には、外縁側に位置して機能回路部８に電気的に接続された複数個の素子側直流電圧端子９および素子側ベースバンド信号端子１０が設けられている。この素子側直流電圧端子９には、パッケージ基板２を通じて半導体部品６の機能回路部８を駆動するための直流電圧（駆動電圧Ｖcc等）が供給される。一方、素子側ベースバンド信号端子１０は、送信状態ではパッケージ基板２からベースバンド信号ＴＳが入力され、受信状態ではパッケージ基板２に向けてベースバンド信号ＲＳを出力する。そして、半導体部品６の素子側直流電圧端子９および素子側ベースバンド信号端子１０は、パッケージ基板２の基板側直流電圧端子３および基板側ベースバンド信号端子４に対してワイヤボンディング１１を用いて電気的に接続されている。
【００２９】
また、本体部７の表面６Ａ側には、素子側直流電圧端子９および素子側ベースバンド信号端子１０よりも中央側（内側）に位置して素子側高周波信号端子１２およびグランド端子１３が設けられている。この素子側高周波信号端子１２は、後述のアンテナ１４と対向した位置に配置され、アンテナ１４との間で高周波信号ＲＦt，ＲＦrを入力または出力する。一方、グランド端子１３は、半導体部品６等を介して外部のグランドに接続されている。
【００３０】
アンテナ１４は、アンテナ基板１５と、該アンテナ基板１５に設けられた例えば電極パターン等からなるアンテナ素子１６とによって構成されている。このアンテナ１４は、例えばパッチアンテナを構成し、放射導体素子となるアンテナ素子１６からマイクロ波、ミリ波等の高周波信号ＲＦt，ＲＦrを送信または受信する。
【００３１】
また、アンテナ基板１５は、例えば所望な誘電率が得られるセラミックス材料等の誘電体材料を用いて略四角形状に形成されている。このアンテナ基板１５の表面１５Ａ側にはアンテナ素子１６が設けられている。一方、アンテナ基板１５の裏面１５Ｂ側には、アンテナ側高周波信号端子１７が設けられると共に、該アンテナ側高周波信号端子１７と異なる位置にアンテナ側高周波信号端子１７と絶縁した状態でグランド電極１８が設けられている。このアンテナ側高周波信号端子１７は、厚さ方向に貫通してアンテナ基板１５に形成されたビア１９を介してアンテナ素子１６に接続され、高周波信号ＲＦt，ＲＦrを入力または出力する。
【００３２】
そして、アンテナ基板１５は、アンテナ側高周波信号端子１７と素子側高周波信号端子１２とが互いに対向した状態で半導体部品６の表面６Ａ上にフリップチップ実装されている。このとき、アンテナ側高周波信号端子１７および素子側高周波信号端子１２はバンプ２０を用いて電気的に接続されると共に、グランド電極１８およびグランド端子１３もバンプ２０を用いて電気的に接続されている。これらのバンプ２０は、例えば半田等の導電性の金属材料を用いてアンテナ側高周波信号端子１７およびグランド電極１８に予め取り付けられると共に、リフロー炉による加熱工程によって相手方となる素子側高周波信号端子１２およびグランド端子１３に接合されるものである。
【００３３】
本実施の形態による高周波モジュール１は上述の如き構成を有するもので、次にその作動について説明する。
【００３４】
まず、高周波モジュール１を用いて送信するときには、外部接続端子５を介して半導体部品６に向けてベースバンド信号ＴＳを供給する。これにより、半導体部品６の変調回路８Ａは、ベースバンド信号ＴＳを変調して高周波信号ＲＦtに変換すると共に、該高周波信号ＲＦtを送受切換スイッチ８Ｃを介してアンテナ１４に供給し、外部空間に向けて放射する。
【００３５】
一方、高周波モジュール１を用いて受信するときには、アンテナ１４から受信した高周波信号ＲＦrは、送受切換スイッチ８Ｃを介して半導体部品６の復調回路８Ｂに入力する。これにより、復調回路８Ｂは高周波信号ＲＦrを復調してベースバンド信号ＲＳに変換すると共に、外部接続端子５を介して外部の回路（図示せず）に向けて出力する。
【００３６】
然るに、本実施の形態によれば、基板側直流電圧端子３、基板側ベースバンド信号端子４、外部接続端子５を有するパッケージ基板２とは別個に、アンテナ基板１５を設けた。このとき、高周波信号ＲＦt，ＲＦrはアンテナ基板１５および半導体部品６だけを伝搬し、パッケージ基板２を伝搬することがない。このため、高周波信号ＲＦt，ＲＦrが伝搬するアンテナ基板１５だけを高周波特性の優れた材料を用いて形成すればよく、パッケージ基板２は安価な樹脂材料等を用いて形成することができるから、高周波モジュール１の製造コストを低減することができる。
【００３７】
また、半導体部品６はパッケージ基板２にフェースアップ実装されると共に、アンテナ基板１５は半導体部品６の表面６Ａ側にフリップチップ実装したから、例えば半導体部品６とアンテナ基板１５との間をワイヤボンディングを用いて電気的に接続した場合に比べて、接続部分の線路長を短縮することができる。このため、半導体部品６とアンテナ基板１５との間で高周波信号ＲＦt，ＲＦrの伝送線路の長さ寸法をできるだけ短くすることができ、高周波信号ＲＦt，ＲＦrの伝送損失や外部ノイズの混入を抑制することができる。
【００３８】
また、アンテナ基板１５は半導体部品６の表面６Ａ側にフリップチップ実装したから、パッケージ基板２にアンテナ基板１５と半導体部品６とを別個に実装した場合に比べて、パッケージ基板２を小面積にして、高周波モジュール１全体を小型化することができる。
【００３９】
一方、半導体部品６の素子側直流電圧端子９および素子側ベースバンド信号端子１０と、パッケージ基板２の基板側直流電圧端子３および基板側ベースバンド信号端子４とはワイヤボンディング１１を用いて電気的に接続した。このため、機能回路部８や素子側直流電圧端子９および素子側ベースバンド信号端子１０が半導体部品６の表面６Ａ側に配置されるときでも、これらの素子側直流電圧端子９および素子側ベースバンド信号端子１０をパッケージ基板２の基板側直流電圧端子３および基板側ベースバンド信号端子４に容易に接続することができると共に、各端子３，４，９，１０の接続状態を容易に目視確認することができる。
【００４０】
さらに、アンテナ素子１６はマイクロ波帯またはミリ波帯の高周波信号ＲＦt，ＲＦrを送信または受信する構成としたから、これらよりも低周波の信号を用いた場合に比べて、広帯域の高周波信号ＲＦt，ＲＦrを用いることができ、通信速度を向上することができる。
【００４１】
次に、図５ないし図７は本発明の第２の実施の形態を示し、本実施の形態の特徴は、半導体部品の素子側直流電圧端子および素子側ベースバンド信号端子と、パッケージ基板の基板側直流電圧端子および基板側ベースバンド信号端子とはバンプを用いて電気的に接続する構成としたことにある。なお、本実施の形態では前記第１の実施の形態と同一の構成要素に同一の符号を付し、その説明を省略するものとする。
【００４２】
高周波モジュール２１は、第１の実施の形態による高周波モジュール１とほぼ同様に、パッケージ基板２２、半導体部品２６およびアンテナ１４を備えている。
【００４３】
パッケージ基板２２は、第１の実施の形態によるパッケージ基板２とほぼ同様に、多層基板等を用いて略四角形状に形成され、表面２２Ａおよび裏面２２Ｂを有している。パッケージ基板２２の表面２２Ａには、その中央側に位置して実装電極２２Ｃが設けられ、該実装電極２２Ｃの周囲には該実装電極２２Ｃを取囲んで複数個の基板側直流電圧端子２３および基板側ベースバンド信号端子２４が設けられている。このとき、基板側直流電圧端子２３および基板側ベースバンド信号端子２４は、半導体部品２６と対向した位置に配置され、半導体部品２６を実装したときに、半導体部品２６によって覆われる構成となっている。
【００４４】
また、パッケージ基板２２には、裏面２２Ｂ側に位置して複数個の外部接続端子２５が設けられている。これらの外部接続端子２５は、パッケージ基板２２の内部に設けられた配線パターン２２Ｄやビア２２Ｅを通じて、実装電極２２Ｃ、基板側直流電圧端子２３および基板側ベースバンド信号端子２４に電気的に接続されている。
【００４５】
半導体部品２６は、第１の実施の形態による半導体部品６とほぼ同様に構成され、本体部２７および機能回路部２８を備えると共に、表面２６Ａおよび裏面２６Ｂを有している。ここで、本体部２７の裏面２６Ｂ側には、外縁側に位置して複数個の素子側直流電圧端子２９および素子側ベースバンド信号端子３０が設けられている。本体部２７には、ビアとして厚さ方向に貫通した貫通ビア３１が形成されている。素子側直流電圧端子２９および素子側ベースバンド信号端子３０は、該貫通ビア３１を介して本体部２７の表面２６Ａ側に設けられた機能回路部２８に電気的に接続されている。
【００４６】
また、半導体部品２６の素子側直流電圧端子２９および素子側ベースバンド信号端子３０は、パッケージ基板２２の基板側直流電圧端子２３および基板側ベースバンド信号端子２４と対向した位置に配置されている。そして、半導体部品２６の素子側直流電圧端子２９および素子側ベースバンド信号端子３０は、パッケージ基板２２の基板側直流電圧端子２３および基板側ベースバンド信号端子２４に対して、導電性金属からなるバンプ３２を用いて電気的に接続されている。
【００４７】
また、半導体部品２６の裏面２６Ｂ側には、その中央側に位置してパッケージ基板２２の実装電極２２Ｃと対向した接合電極３３が設けられている。この接合電極３３と実装電極２２Ｃは、バンプ３４を用いて接合されている。これにより、半導体部品２６は、パッケージ基板２２の表面２２Ａ上にフリップチップ実装されている。
【００４８】
一方、本体部２７の表面２６Ａ側には、アンテナ１４と対向した位置に素子側高周波信号端子３５およびグランド端子３６が設けられている。そして、本体部２７の表面２６Ａ側には、アンテナ基板１５がフリップチップ実装されている。このとき、アンテナ側高周波信号端子１７および素子側高周波信号端子３５はバンプ３７を用いて電気的に接続されると共に、グランド電極１８およびグランド端子３６もバンプ３７を用いて電気的に接続されている。
【００４９】
かくして、このように構成される本実施の形態による高周波モジュール２１でも、第１の実施の形態とほぼ同様の作用効果を得ることができる。特に、本実施の形態では、半導体部品２６の素子側直流電圧端子２９および素子側ベースバンド信号端子３０と、パッケージ基板２２の基板側直流電圧端子２３および基板側ベースバンド信号端子２４とはバンプ３２を用いて電気的に接続した。このため、素子側直流電圧端子２９および素子側ベースバンド信号端子３０は、ワイヤボンディングを用いて接続する場合のように、パッケージ基板２２のうち半導体部品２６と異なる位置に配置する必要がなく、パッケージ基板２２のうち半導体部品２６と対向した位置に配置することができる。この結果、パッケージ基板２２および高周波モジュール２１全体を小型化することができる。
【００５０】
次に、図８および図９は本発明の第３の実施の形態を示し、本実施の形態の特徴は、アンテナ基板には、アンテナ素子とアンテナ側高周波信号端子との間に電気的に接続されたフィルタを設ける構成としたことにある。なお、本実施の形態では前記第１の実施の形態と同一の構成要素に同一の符号を付し、その説明を省略するものとする。
【００５１】
高周波モジュール４１は、第１の実施の形態による高周波モジュール１とほぼ同様に、パッケージ基板２、半導体部品６およびアンテナ４２を備えている。
【００５２】
アンテナ４２は、第１の実施の形態によるアンテナ１４とほぼ同様に、アンテナ基板４３と、該アンテナ基板４３に設けられた例えば電極パターン等からなるアンテナ素子４４とを備えている。このアンテナ基板４３の表面４３Ａ側にはアンテナ素子４４が設けられている。一方、アンテナ基板４３の裏面４３Ｂ側には、アンテナ側高周波信号端子４５およびグランド電極４６が設けられている。
【００５３】
但し、アンテナ基板４３は、誘電体材料からなる絶縁層を積み重ねた多層基板によって形成されている。このアンテナ基板４３の内部には、受動回路部としてのフィルタ４７が設けられている。このフィルタ４７は、例えば導電性の金属薄膜を成形した電極パターン等によって形成され、その形状に応じて高周波信号ＲＦt，ＲＦrを通過させ、他の信号を遮断する帯域通過フィルタを構成している。フィルタ４７は、ビア４８を介してアンテナ素子４４およびアンテナ側高周波信号端子４５に接続されている。
【００５４】
なお、フィルタ４７は、送信用と受信用で通過する周波数帯域を変えたダイプレクサとしてもよい。また、アンテナ基板４３には、単一のアンテナ素子４４に対して２個以上のアンテナ側高周波信号端子４５を接続して設けると共に、これらのアンテナ側高周波信号端子４５に対応して複数個のフィルタ４７を設ける構成としてもよい。
【００５５】
そして、アンテナ基板４３は、アンテナ側高周波信号端子４５と素子側高周波信号端子１２とが互いに対向した状態で半導体部品６の表面６Ａ上にフリップチップ実装されている。このとき、アンテナ側高周波信号端子４５および素子側高周波信号端子１２はバンプ２０を用いて電気的に接続されると共に、グランド電極４６およびグランド端子１３もバンプ２０を用いて電気的に接続されている。
【００５６】
かくして、このように構成される本実施の形態による高周波モジュール４１でも、第１の実施の形態とほぼ同様の作用効果を得ることができる。特に、本実施の形態では、アンテナ基板４３にはフィルタ４７を設けたから、アンテナ基板４３側で高周波信号ＲＦt，ＲＦrの処理を行うことができる。このため、材料価格を上げることなく、不要な帯域の信号を除去することができる。
【００５７】
なお、第３の実施の形態では、フィルタ４７はアンテナ基板４３の内部に設ける構成としたが、例えばアンテナ基板４３の表面４３Ａ側や裏面４３Ｂ側に設ける構成としてもよい。この場合、アンテナ基板４３には、多層基板を使用する必要はなく、第１の実施の形態によるアンテナ基板１５と同様に、単層の誘電体基板を用いる構成としてもよい。
【００５８】
また、第３の実施の形態では、第１の実施の形態に適用した場合を例に挙げて説明したが、第２の実施の形態に適用してもよい。
【００５９】
次に、図１０は本発明の第４の実施の形態を示し、本実施の形態の特徴は、パッケージ基板の表面側は半導体部品を覆った状態で樹脂材料を用いて封止する構成としたことにある。なお、本実施の形態では前記第１の実施の形態と同一の構成要素に同一の符号を付し、その説明を省略するものとする。
【００６０】
高周波モジュール５１は、第１の実施の形態による高周波モジュール１とほぼ同様に、パッケージ基板２、半導体部品６およびアンテナ１４を備えている。
【００６１】
但し、パッケージ基板２の表面２Ａには、半導体部品６を覆った状態で絶縁性の樹脂材料からなる封止部材５２を設けている。このとき、封止部材５２は、パッケージ基板２の基板側直流電圧端子３および基板側ベースバンド信号端子４と、半導体部品６の素子側直流電圧端子９および素子側ベースバンド信号端子１０との接続部分をワイヤボンディング１１を含めて封止する。これに加え、封止部材５２は、半導体部品６の素子側高周波信号端子１２およびグランド端子１３と、アンテナ基板１５のアンテナ側高周波信号端子１７およびグランド電極１８との接続部分をバンプ２０を含めて封止している。
【００６２】
かくして、このように構成される本実施の形態による高周波モジュール５１でも、第１の実施の形態とほぼ同様の作用効果を得ることができる。特に、本実施の形態では、パッケージ基板２の表面２Ａ側は半導体部品６を覆った状態で樹脂材料からなる封止部材５２を用いて封止する構成とした。このため、封止部材５２を用いて、パッケージ基板２の基板側直流電圧端子３および基板側ベースバンド信号端子４と、半導体部品６の素子側直流電圧端子９および素子側ベースバンド信号端子１０との接続部分を封止することができる。これに加え、封止部材５２を用いて、半導体部品６の素子側高周波信号端子１２とアンテナ基板１５のアンテナ側高周波信号端子１７との接続部分も一緒に封止することができる。このため、製造工程において、これら複数箇所の接続部分を一括して容易に封止することができ、別個に封止した場合に比べて製造工程を簡略化することができる。
【００６３】
なお、第４の実施の形態では、平面状をなすパッケージ基板２の表面２Ａに封止部材５２を設ける構成とした。しかし、本発明はこれに限らず、例えば図１１に示す変形例による高周波モジュール６１のように、パッケージ基板２の表面２Ａにはパッケージ基板２の外縁側を覆う枠体６２を設け、該枠体６２内に配置された半導体部品６を覆って封止部材６３を設ける構成としてもよい。この場合、枠体６２によってキャビティを形成することができるから、該キャビティ内に樹脂材料からなる封止部材６３を塗布することによって、キャビティ内に配置された半導体部品６、アンテナ１４を封止することができ、封止工程が容易になる。
【００６４】
また、第４の実施の形態では、第１の実施の形態に適用した場合を例に挙げて説明したが、第２，第３の実施の形態に適用してもよい。
【００６５】
次に、図１２は本発明による第５の実施の形態を示し、本実施の形態の特徴は、高周波モジュールを用いて通信装置を構成したことにある。
【００６６】
通信装置７１は、音声、データ等の入力または出力を行う端末機器７２と、該端末機器７２に接続されベースバンド信号ＴＳ，ＲＳの処理を行う信号処理回路７３と、例えば第３の実施の形態による高周波モジュール４１とを備えている。また、信号処理回路７３は、例えばマザーボード（図示せず）に設けられ、該マザーボードに設けられた接続端子と高周波モジュール４１の外部接続端子５とが接続されている。これにより、信号処理回路７３は、高周波モジュール４１の半導体部品６に電気的に接続されている。
【００６７】
そして、送信時には、信号処理回路７３は、端末機器７２から入力された情報に基づいてベースバンド信号ＴＳに生成し、このベースバンド信号ＴＳを変調回路８Ａに出力する。このとき、変調回路８Ａは、ベースバンド信号ＴＳを高周波信号ＲＦtに変換し、該高周波信号ＲＦtを送受切換スイッチ８Ｃ等を通じてアンテナ４２から送信する。
【００６８】
一方、受信時には、アンテナ４２から受信した高周波信号ＲＦrは、送受切換スイッチ８Ｃを介して半導体部品６の復調回路８Ｂに入力する。これにより、復調回路８Ｂは高周波信号ＲＦrを復調してベースバンド信号ＲＳに変換すると共に、外部接続端子５を介して外部の信号処理回路７３に向けて出力する。これにより、信号処理回路７３は、ベースバンド信号ＲＳから音声、画像等の情報を生成し、端末機器７２に出力する。
【００６９】
かくして、本実施の形態によれば、高周波モジュール４１を用いて通信装置７１を構成したから、通信装置７１全体の製造コストを抑制することができる。また、小型の高周波モジュール４１を用いることができるから、携帯電話等の小型の機器にも容易に搭載することができる。
【００７０】
なお、第５の実施の形態では、第３の実施の形態による高周波モジュール４１を用いる構成としたが、第１，第２，第４の実施の形態による高周波モジュール１，２１，５１，６１を用いる構成としてもよい。
【００７１】
また、前記各実施の形態では、パッケージ基板２，２２には複数の絶縁層を備えた多層基板を用いる構成としたが、単層の誘電体基板を用いる構成としてもよい。
【００７２】
また、前記各実施の形態では、半導体部品６，２６の機能回路部８，２８は、変調回路８Ａ、復調回路８Ｂの両方を備える構成としたが、いずれか一方のみを備える構成としてもよい。
【００７３】
また、前記各実施の形態では、アンテナ基板１５，４３には単一のアンテナ素子１６，４４を設ける構成としたが、例えばアンテナ基板に２個のアンテナ素子を設け、それぞれ送信用と受信用に使用する構成としてもよい。また、半導体部品６，２６には、単一のアンテナ１４，４２を取り付ける構成としたが、例えば半導体部品に２個のアンテナを取り付け、これらのアンテナを送信用と受信用にそれぞれ使用する構成としてもよい。さらに、例えば半導体部品に複数のアンテナを取り付けると共に、それぞれのアンテナ素子が独立したチャネル、または同一チャネルを使用する構成としてもよい。
【符号の説明】
【００７４】
１，２１，４１，５１，６１  高周波モジュール
２，２２  パッケージ基板
２Ａ，６Ａ，１５Ａ，２２Ａ，２６Ａ，４３Ａ  表面
２Ｂ，６Ｂ，１５Ｂ，２２Ｂ，２６Ｂ，４３Ｂ  裏面
３，２３  基板側直流電圧端子
４，２４  基板側ベースバンド信号端子
６，２６  半導体部品
８，２８  機能回路部
９，２９  素子側直流電圧端子
１０，３０  素子側ベースバンド信号端子
１１  ワイヤボンディング
１４，４２  アンテナ
１５，４３  アンテナ基板
１６，４４  アンテナ素子
１７，４５  アンテナ側高周波信号端子
３１  貫通ビア（ビア）
３２  バンプ
５２，６３  封止部材
７１  通信装置
【図１】
2012014527.tif 000003
【図２】
2012014527.tif 000004
【図３】
2012014527.tif 000005
【図４】
2012014527.tif 000006
【図５】
2012014527.tif 000007
【図６】
2012014527.tif 000008
【図７】
2012014527.tif 000009
【図８】
2012014527.tif 000010
【図９】
2012014527.tif 000011
【図１０】
2012014527.tif 000012
【図１１】
2012014527.tif 000013
【図１２】
2012014527.tif 000014
【国際調査報告】
2012014527.tif 000015
2012014527.tif 000016